(57)【要約】【課題】整流板などを用いることなく、遠心ファンから吹き出した気流と熱交換器のフィンとの間で発生する騒音を低減することが可能な室内機を提供する。【解決手段】室内機３１は、複数の後ろ向き羽根を有する遠心ファン５１と、前記遠心ファン５１から吹き出した気流Ｆ１が通過する位置において、前記気流Ｆ１の流れ方向に沿って並んで配置された複数列の熱交換器４３、６３とを備えている。前記熱交換器４３、６３は、遠心ファン５１の回転軸の延びる方向と直交する方向に互いに離間して並んで配置された複数枚のフィン４３ａ、６３ａを有している。前記遠心ファン５１に近い列の前記熱交換器４３の前記フィン４３ａのピッチｐ１のうち少なくとも前記遠心ファン５１に最も近い位置におけるフィン４３ａのピッチｐ１は、当該遠心ファン５１に遠い列の前記熱交換器６３の前記フィン６３ａのピッチｐ２よりも広くなるように設定されている【選択図】図３
2015124960.tif 000002
【特許請求の範囲】
【請求項１】
複数の後ろ向き羽根を有する遠心ファン（５１）と、
前記遠心ファン（５１）から吹き出した気流（Ｆ１）が通過する位置において、前記気流（Ｆ１）の流れ方向に沿って並んで配置された複数列の熱交換器（４３、６３）と
を備えており、
前記熱交換器（４３、６３）は、前記遠心ファン（５１）の回転軸の延びる方向と直交する方向に互いに離間して並んで配置された複数枚のフィン（４３ａ、６３ａ）を有しており、
前記遠心ファン（５１）に近い列の前記熱交換器（４３）の前記フィン（４３ａ）のピッチ（ｐ１）のうち少なくとも前記遠心ファン（５１）に最も近い位置におけるフィン（４３ａ）のピッチ（ｐ１）は、当該遠心ファン（５１）に遠い列の前記熱交換器（６３）の前記フィン（６３ａ）のピッチ（ｐ２）よりも広くなるように設定されている、
室内機（３１）。
【請求項２】
前記遠心ファン（５１）に近い列の前記熱交換器（４３）の全ての前記フィン（４３ａ）が等間隔に並んでいる、
請求項１に記載の室内機（３１）。
【請求項３】
前記遠心ファン（５１）に近い列の前記熱交換器（４３）において、前記遠心ファン（５１）に最も近い位置およびその下流側の範囲の前記フィン（４３ａ）のピッチ（ｐ１）は、当該範囲以外の前記フィン（６３ａ）のピッチ（ｐ２）よりも広くなるように、設定されている。
請求項１に記載の室内機（３１）。
【発明の詳細な説明】
【技術分野】
【０００１】
本発明は、空気調和機の室内機に関するものである。
【背景技術】
【０００２】
従来、空気調和機の室内機として、ターボファンなどの遠心ファンと、そのターボファンを取り囲むように配置された熱交換器とを備えた天井設置型の室内機が知られている。ターボファンなどの遠心ファンは、その回転中心の周囲に円周状に配置された複数枚の後ろ向き羽根を有する。後ろ向き羽根は、遠心ファンの回転中心に近い内側端部よりも当該内側端部と反対側の外側端部の方が当該遠心ファンの回転方向について後方に位置する羽である。熱交換器は、互いに離間して配置された複数枚のフィンを有している。
【０００３】
このような室内機では、熱交換器の内側（すなわち、遠心ファンを向く側）において、遠心ファンから吹き出した気流が熱交換器のフィンの縁に対して当該フィンの並ぶ方向と平行またはそれに近い角度で当たることによって、当該気流がフィンの縁と干渉して、特殊な干渉騒音が発生するおそれがある。
【０００４】
従来では、このような干渉騒音の発生を防止することが可能な室内機として、特許文献１に記載されているような室内機が知られている。この室内機は、図６に示されるように、遠心ファン８０から吹き出した気流Ｆ１を熱交換器８２のフィン８２ａの隙間８２ｃに向けて案内する整流板８３を備えている。整流板８３は、熱交換器８２のフィン８２ａから遠心ファン８０へ突出するように、熱交換器８２の内側８２ｄ（すなわち、遠心ファン８０に対向する側）に設けられている。このような室内機では、遠心ファン８０からの吹出気流Ｆ１が整流板８３によって熱交換器８２のフィン８２ａに向けて案内されるので、吹出気流がＦ１フィン８２ａの縁８２ｂに干渉して騒音が発生するのを防止することが可能である。
【先行技術文献】
【特許文献】
【０００５】
【特許文献１】特許３２１３５９３号公報
【発明の概要】
【発明が解決しようとする課題】
【０００６】
特許文献１に記載されている室内機では、熱交換器の内側に整流板が設けられているので、吹出気流がフィンに干渉する際に生じる騒音を低減することが可能である。しかし、整流板における気流の上流側（すなわち、遠心ファンからの吹出気流が当たる側）で圧力が高い領域が発生するので、ファンの回転に起因する騒音（ＮＺ音）が新たに発生するおそれがある。
【０００７】
すなわち、図６に示されるように、整流板８３の上流側では、気流Ｆ１が整流板８３によってフィン８２ａの並ぶ方向への進行が抑えられるため、圧力が高くなる領域８５が形成される。一方、遠心ファン８０が回転しているときには、羽根８１の後縁８１ａ付近の空間において、圧力の高い後流領域８４が形成され、この領域８４が羽根８１に付随して移動する。したがって、羽根８１が整流板８３の近くを通過するときには、２つの圧力が高い領域、すなわち、羽根８１の後流領域８４と整流板８３の上流側の領域８５とが干渉する。このように圧力が高い領域８４、８５が干渉している瞬間には、ファン８０から吹き出した気流が流れにくくなるので、羽根８１の負荷が上昇して、羽根８１の表面に圧力変動が発生する。この圧力変動によって、ファンの回転数に起因する騒音（いわゆるＮＺ音）が発生する。
【０００８】
このようなＮＺ音の生じる可能性は、近年、省エネルギー化のために熱交換器の配管を太くなるように設計したことに伴い、熱交換器のフィンが遠心ファンの羽根に近づけて配置されることによって、ますます拡大する。
【０００９】
本発明は、上記のような事情に鑑みてなされたものであり、整流板などを用いることなく、遠心ファンから吹き出した気流と熱交換器のフィンとの間で発生する騒音を低減することが可能な室内機を提供することを目的とする。
【課題を解決するための手段】
【００１０】
本発明の室内機（３１）は、複数の後ろ向き羽根を有する遠心ファン（５１）と、前記遠心ファン（５１）から吹き出した気流（Ｆ１）が通過する位置において、前記気流（Ｆ１）の流れ方向に沿って並んで配置された複数列の熱交換器（４３、６３）とを備えており、前記熱交換器（４３、６３）は、前記遠心ファン（５１）の回転軸の延びる方向と直交する方向に互いに離間して並んで配置された複数枚のフィン（４３ａ、６３ａ）を有しており、前記遠心ファン（５１）に近い列の前記熱交換器（４３）の前記フィン（４３ａ）のピッチ（ｐ１）のうち少なくとも前記遠心ファン（５１）に最も近い位置におけるフィン（４３ａ）のピッチ（ｐ１）は、当該遠心ファン（５１）に遠い列の前記熱交換器（６３）の前記フィン（６３ａ）のピッチ（ｐ２）よりも広くなるように設定されていることを特徴とする。
【００１１】
かかる構成により、遠心ファン（５１）に近い列の熱交換器（４３）のフィン（４３ａ）のピッチ（ｐ１）のうち少なくとも前記遠心ファン（５１）に最も近い位置におけるフィン（４３ａ）のピッチ（ｐ１）を広げることによって、当該フィン（４３ａ）と遠心ファン（５１）から吹き出す気流（Ｆ１）との干渉を弱めることができ、しかも、干渉による騒音を発生するフィン（４３ａ）の枚数を減らすことが可能となる。その結果、熱交換器（４３）の内側から遠心ファン（５１）へ向けて突出する整流板を設けることなく、遠心ファン（５１）から吹き出した気流（Ｆ１）と熱交換器（４３）のフィン（４３ａ）との間の干渉によって生じる騒音を低減することが可能なる。また、前記遠心ファン（５１）の回転軸の延びる方向と直交する方向に並ぶ複数枚のフィン（４３ａ）では、熱交換器（４３）の内側に突出する整流板のように、気流（Ｆ１）の圧力の高い領域を形成しないので、その領域と遠心ファン（５１）の羽根の後縁に発生する圧力の高い領域との干渉によって発生せず、ファンの回転数に起因する騒音（いわゆるＮＺ音）が発生を防止することができる。
【００１２】
一方、遠心ファン（５１）に遠い列の熱交換器（６３）のフィン（６３ａ）のピッチ（ｐ２）は、上記の近い列の熱交換器（４３）のフィン（４３ａ）のピッチ（ｐ１）のうち少なくとも前記遠心ファン（５１）に最も近い位置におけるフィン（４３ａ）のピッチ（ｐ１）よりも相対的に狭いので、近い列の熱交換器（４３）のフィン（４３ａ）のピッチ（ｐ１）を広げることによる熱交換能力の低減を抑制することが可能である。しかも、上記の近い列の熱交換器（４３）のフィン（４３ａ）の間を気流（Ｆ１）が通過する際に気流（Ｆ１）の流速が低下するので、その気流（Ｆ１）が上記の遠い列の熱交換器（６３）のフィン（６３ａ）の間に通過するときには気流（Ｆ１）とフィン（６３ａ）との干渉が大幅に小さくなり、干渉による騒音の発生を低減することが可能である。
【００１３】
また、前記遠心ファン（５１）に近い列の前記熱交換器（４３）の全ての前記フィン（４３ａ）が等間隔に並んでいるのが好ましい。
【００１４】
この構成により、遠心ファン（５１）に近い列の前記熱交換器（４３）の製造の管理が容易になる。
【００１５】
また、前記遠心ファン（５１）に近い列の前記熱交換器（４３）において、前記遠心ファン（５１）に最も近い位置およびその下流側の範囲の前記フィン（４３ａ）のピッチ（ｐ１）は、当該範囲以外の前記フィン（６３ａ）のピッチ（ｐ２）よりも広くなるように、設定されているのが好ましい。
【００１６】
遠心ファン（５１）に近い列の熱交換器（４３）において、遠心ファン（５１）に最も近い位置よりも下流側の範囲では、他の範囲と比較して、気流（Ｆ１）とフィン（４３ａ）との干渉による騒音が発生しやすい。そこで、上記のように、遠心ファン（５１）に最も近い位置およびその下流側の範囲のフィン（４３ａ）のピッチ（ｐ１）を部分的に広げ、その他の範囲のフィン（４３ａ）のピッチを広げないように構成されていれば、気流（Ｆ１）とフィン（４３ａ）との干渉による騒音を低減しながらも、フィン（４３ａ）ピッチ（ｐ１）の拡大による熱交換能力の低下をさらに抑えることが可能である。
【発明の効果】
【００１７】
以上のように、本発明によれば、整流板などを用いることなく、遠心ファンから吹き出した気流と熱交換器のフィンとの間で発生する騒音を低減することができる。
【図面の簡単な説明】
【００１８】
【図１】本発明の実施形態にかかる空気調和機の室内機の内部を示す縦断面図である。
【図２】図１の羽根車およびその周辺部を下方から見た図である。
【図３】図１の熱交換器を気流が通過する状態を示す説明図である。
【図４】一般的なモデルとして、気流が熱交換器のフィンに当たる状態を示す説明図である。
【図５】熱交換器のフィンの前縁による干渉騒音の大きさをフィンピッチが大きい場合と小さい場合と比較したグラフである。
【図６】従来の整流板を備えた室内機において、遠心ファンの羽根の後流領域と整流板の上流側の圧力が高い領域とが干渉する状態を示す斜視図である。
【発明を実施するための形態】
【００１９】
以下、本発明の実施形態にかかる空気調和機の室内機について図面を参照しながら詳細に説明する。
【００２０】
図１に示される室内機３１は、天井埋込型のカセット室内機である。この室内機３１は、天井Ｃに設けられた開口に埋め込まれる略直方体の筐体３３と、筐体３３の下部に取り付けられた化粧パネル４７とを備えている。化粧パネル４７は、平面視の形状が筐体３３よりも一回り大きく、天井Ｃの開口を覆った状態で室内に露出している。化粧パネル４７は、その中央部に設けられた矩形状の吸込グリル３９と、この吸込グリル３９の各辺に沿って設けられた細長い矩形状の４つの吹出口３７とを有している。
【００２１】
室内機３１は、羽根車２３を備えた遠心ファン５１と、羽根車２３を回転駆動するファンモータ１１と、羽根車２３の外側を二重に取り囲む２列の熱交換器、すなわち、第１熱交換器４３および第２熱交換器６３と、ドレンパン４５と、エアフィルタ４１とを備えている。
【００２２】
遠心ファン５１は、ターボファンであり、羽根車２３とベルマウス２５とを含む。
【００２３】
図１〜２に示されるように、羽根車２３は、ハブ１５と、シュラウド１９と、複数の羽根２１とを含む。ハブ１５は、筐体３３の天板に固定されたファンモータ１１の回転軸１３に固定されている。
【００２４】
シュラウド１９は、ハブ１５に対して回転軸１３の軸方向Ａの前側Ｆに対向配置されている。シュラウド１９は、回転軸１３を中心として円形に開口する空気吸込口１９ａを有している。シュラウド１９の外径は、後側Ｒに向かうにつれて大きくなっている。
【００２５】
複数の羽根２１は、ハブ１５とシュラウド１９との間に空気吸込口１９ａの周方向に沿って所定の間隔をあけて配列されている。各羽根２１の前側Ｆの端部はシュラウド１９の内面に接合されている。各羽根２１の後側Ｒの端部はハブ１５に接合されている。各羽根２１は、ハブ１５の半径方向に対して回転方向Ｂの反対向き（後ろ向き）に傾斜した後ろ向き羽根である。
【００２６】
ベルマウス２５は、シュラウド１９に対して軸方向Ａの前側Ｆに対向配置されている。ベルマウス２５は、その外径が後側Ｒに向かうにつれて小さくなる湾曲形状を有している。
【００２７】
図１〜２に示すように、第１熱交換器４３および第２熱交換器６３は、それぞれ厚みの小さな扁平な形状を有しており、遠心ファン５１から吹き出した気流Ｆ０が通過する位置において、気流Ｆ０の流れ方向に沿って並んで配置されている。具体的には、第１熱交換器４３および第２熱交換器６３は、それらの下端部に沿って延設された皿状のドレンパン４５から上方に起立した状態で羽根車２３の周囲を囲むように、遠心ファン５１の羽根車２３の半径方向に２列に配置されている。第１熱交換器４３および第２熱交換器６３は、遠心ファン５１の羽根車２３に近い方から順に羽根車２３の半径方向に並んで配置されている。すなわち、第１熱交換器４３および第２熱交換器６３は、これらの厚み方向に重ね合わされるように配置される。
【００２８】
各熱交換器４３、６３は、具体的には、図３に示されるように、互いに離間して配置された多数枚のフィン４３ａ、６３ａと、当該フィン４３ａ、６３ａを貫通する複数の配管４３ｂ、６３ｂとを備えている。複数の配管４３ｂ、６３ｂは、互いに平行になるように配置され、それぞれの端部同士はＵ字管などを介して互いに接続されている。フィン４３ａ、６３ａは、互いに隙間４３ｃ、６３ｃをあけた状態で各配管４３ｂ、６３ｂに対してロウ付けなどによって接合されている。熱交換器４３、６３では、配管４３ｂ、６３ｂ内部を通る冷媒とフィン４３ａ、６３ａの周囲の空気との間で熱交換される。
【００２９】
図３に示されるように、各熱交換器４３、６３のフィン４３ａ、６３ａは、遠心ファン５１の回転軸１３（図１〜２参照）の延びる方向と直交する方向に互いに離間して並んで配置されている。
【００３０】
遠心ファン５１の羽根車２１に近い列の第１熱交換器４３のフィン４３ａのピッチｐ１は、全てのフィン４３ａのピッチｐ１について、遠い列の第２熱交換器６３のフィン６３ａのピッチｐ２よりも広くなるように設定されている。
【００３１】
ここで、フィンピッチが大きい熱交換器とフィンピッチが小さい熱交換器のそれぞれについての騒音を調べるために、これらのフィンピッチに対応するフィンが一列に並んだ熱交換器をそれぞれ用意し、図４に示されるように、それぞれの熱交換器１４３の内側の部位１４３ｅにおいて、気流Ｖをフィン１４３ａの縁１４３ｄに対して所定の仰角αで当てて、気流Ｖがフィン１４３ａの縁１４３ｄに干渉することによって発生する騒音の大きさ（騒音値β（ｄＢＡ））を、気流Ｖの流速γを変えて調べた。その結果、図５のグラフから明らかなように、フィンのピッチが大きい場合（図５のグラフの三角ドットＩで示されたドット群）の方が、フィンのピッチが小さい場合（図５のグラフの円形ドットＩＩで示されたドット群）よりも騒音が小さくなることが実験により解明された。この実験結果に基づいて、本実施形態では、図３に示されるように、２列の熱交換器４３、６３のフィンのピッチを設定する場合には、遠心ファン５１から出た気流Ｆ１が最初に当たる第１熱交換器４３のフィン４３ａのピッチｐ１を気流Ｆ１の下流側に位置する第２熱交換器６３のフィン６３ａのピッチｐ２よりも大きく設定し、それによって、気流Ｆ１とフィン４３ａの縁とで発生する干渉騒音を低減している。
【００３２】
室内機３１のその他の構成は、従来の天井埋込型のカセット室内機の構成と同じである。具体的には、図１に示されるように、ドレンパン４５は、各熱交換器４３、６３において生じる水滴を収容する。収容された水は図略の排水経路を通じて排出される。エアフィルタ４１は、ベルマウス２５の入口を覆う大きさを有し、ベルマウス２５と吸込グリル３９との間に吸込グリル３９に沿って設けられている。エアフィルタ４１は、吸込グリル３９から筐体３３内に吸い込まれた空気に含まれる塵埃を捕捉する。
【００３３】
上記のように構成された室内機３１では、ファンモータ１１の駆動によって遠心ファン５１の羽根車２３が回転することにより、室内機３１の内部において、図１に示される気流Ｆ０を発生させることが可能である。すなわち、吸込グリル３９から吸い込まれた室内空気は、遠心ファン５１のベルマウス２５の内部を通って羽根車２３へ向かう。羽根車２３に到達した空気は、羽根車２３の半径方向外側へ吹き出し、羽根車２３の外側に配置された第１熱交換器４３および第２熱交換器６３を順に通過する際に冷媒と熱交換することにより、冷却または加熱される。その後、熱交換された空気は、吹出口３７を通して室内へ供給される。
【００３４】
本実施形態の室内機３１では、第１熱交換器４３の内側（すなわち、遠心ファン５１を向く側）において、遠心ファン５１から吹き出した気流Ｆ１が第１熱交換器４３のフィン４３ａの縁４３ｄに対して当該フィン４３の並ぶ方向と平行またはそれに近い角度で当たる。しかし、遠心ファン５１に近い第１熱交換器４３のフィン４３ａのピッチｐ１が遠心ファン５１から遠い第２熱交換器６３のフィン６３ａのピッチｐ２よりも広く設定されているので、第１熱交換器４３のフィン４３ａの縁４３ｄと遠心ファン５１から吹き出す気流Ｆ１との干渉を弱めることができる。しかも、干渉による騒音を発生するフィン４３ａの枚数を下流側の第２熱交換器６３のフィン６３ａよりも減らすことが可能となり、気流とフィンの縁との干渉騒音を低減することが可能となる。また、このような気流とフィンの縁との干渉騒音を防止するために、熱交換器の内側（すなわち、遠心ファン５１に対向する側）に整流板を設ける必要がなくなる。
【００３５】
以上のように本実施形態の室内機３１では、遠心ファン５１に近い列の第１熱交換器４３のフィン４３ａのピッチｐ１を広げることによって、当該フィン４３ａと遠心ファン５１から吹き出す気流Ｆ１との干渉を弱めることができ、しかも、干渉による騒音を発生するフィン４３ａの枚数を減らすことが可能となる。その結果、第１熱交換器４３の内側から遠心ファン５１へ向けて突出する整流板を設けることなく、遠心ファン５１から吹き出した気流Ｆ１と第１熱交換器４３のフィン４３ａとの間の干渉によって生じる騒音を低減することが可能なる。また、遠心ファン５１の回転軸１３の延びる方向と直交する方向に並ぶ複数枚のフィン４３ａでは、第１熱交換器４３の内側に突出する整流板のように、気流の圧力の高い領域を形成しないので、その領域と遠心ファン５１の羽根の後縁に発生する圧力の高い領域との干渉によって発生せず、遠心ファン５１の回転数に起因する騒音（いわゆるＮＺ音）が発生を防止することができる。
【００３６】
一方、遠心ファン５１に遠い列の第２熱交換器６３のフィン６３ａのピッチｐ２は、上記の第１熱交換器４３のフィン４３ａのピッチｐ１よりも相対的に狭いので、第１熱交換器４３のフィン４３ａのピッチｐ１を広げることによる熱交換能力の低減を抑制することが可能である。しかも、上記の第１熱交換器４３のフィン４３ａの間を気流Ｆ１が通過する際に気流Ｆ１の流速が低下するので、その気流Ｆ１が図３に示されるように第２熱交換器６３のフィン６３ａの隙間６３ｃに通過するときには気流Ｆ１とフィン６３ａとの干渉が大幅に小さくなり、干渉による騒音の発生を低減することが可能である。
【００３７】
また、遠心ファン５１に近い列の前記熱交換器４３の全てのフィン４３ａが等間隔に並んでいるので、遠心ファン５１に近い列の熱交換器４３の製造の管理が容易になる。
【００３８】
（変形例）
なお、上記実施形態では、遠心ファン５１から吹き出した気流Ｆ１の流れ方向に沿って２列の熱交換器、すなわち、第１熱交換器４３および第２熱交換器６３が並んで配置されている例が示されているが、本発明はこれに限定されるものではなく、複数列の熱交換器が気流Ｆ１の流れ方向に沿って並んで配置されていればよく、３列以上の熱交換器が配置されていてもよい。その場合も、遠心ファン５１に近い列の第１熱交換器のフィンピッチが他の熱交換器のフィンピッチよりも広くなるように設定すればよい。
【００３９】
なお、上記実施形態では、第１熱交換器４３のフィン４３ａのピッチｐ１が、全てのフィン４３ａについて、第２熱交換器６３のフィン６３ａのピッチｐ２よりも広くなるように設定されているが、本発明はこれに限定されるものではない。遠心ファン５１に最も近い位置４３ｆでは、気流Ｆ１とフィン４３ａとの干渉による騒音が最も発生しやすいので、本発明では、第１熱交換器４３のフィン４３ａのピッチｐ１は、少なくとも遠心ファン５１に最も近い位置４３ｆ（図３参照）におけるピッチｐ１が第２熱交換器６３のフィン６３ａのピッチｐ２よりも広くなるように設定されていればよい。その場合も、第１熱交換器４３のフィン４３ａの縁４３ｄと遠心ファン５１から吹き出す気流Ｆ１との干渉を低減することが可能である。
【００４０】
また、他の変形例として、遠心ファン５１に近い列の第１熱交換器４３において、遠心ファン５１に最も近い位置４３ｆおよびその下流側の範囲４３ｇ（図３参照）のフィン４３ａのピッチｐ１は、当該範囲４３ｇ以外の範囲４３ｈのフィン４３ａのピッチよりも広くなるように設定されてもよい。すなわち、遠心ファン５１に近い列の第１熱交換器４３において、遠心ファン５１に最も近い位置４３ｆよりも下流側の範囲４３ｈでは、その他の範囲４３ｈと比較して気流Ｆ１とフィン４３ａとの干渉による騒音が発生しやすいので、遠心ファン５１に最も近い位置４３ｆおよびその下流側の範囲４３ｇのフィン４３ａのピッチｐ１を部分的に広げ、その他の範囲４３ｈのフィン４３ａのピッチを広げないように構成する（例えば、第２熱交換器のフィン６３ａのピッチｐ２と同じにする）ことにより、気流Ｆ１とフィン４３ａとの干渉による騒音を低減しながらも、フィンピッチの拡大による熱交換能力の低下をさらに抑えることが可能である。
【００４１】
さらに、遠心ファン５１に最も近い位置４３ｆ（図３参照）におけるピッチｐ１だけ広くして、その他の範囲４３ｈ（すなわち、位置４３ｆの上流側の範囲および下流側の範囲の両方）のフィン４３ａのピッチを広げないように構成するようにしてもよい。
【符号の説明】
【００４２】
２１  羽根
２３  羽根車
３１  室内機
４３  第１熱交換器
４３ａ  フィン
５１  遠心ファン
６３  第２熱交換器
６３ａ  フィン
Ｆ１  気流
【図１】
2015124960.tif 000003
【図２】
2015124960.tif 000004
【図３】
2015124960.tif 000005
【図４】
2015124960.tif 000006
【図５】
2015124960.tif 000007
【図６】
2015124960.tif 000008